(57)【要約】【課題】  構造が簡単で、応答速度が速く、さらに、信頼性が高いマトリクス型光スイッチを提供する。【解決手段】  マトリクス型光スイッチは、入射光路部材２１と、平面視したときに、入射光路部材２１と交差領域で交差するように配置された出射光路部材２２と、交差領域において、入射光路部材２１と出射光路部材２２との間に配置され、透光性を有する圧電アクチュエータ４とを備える。圧電アクチュエータ４は、伸縮可能に形成され、圧電アクチュエータ４が伸縮することによって、圧電アクチュエータ４と入射光路部材２１とが、接触および乖離するように形成されている。【選択図】        図１
2005315955.tif 000002
【特許請求の範囲】
【請求項１】
入射光路部材と、
平面視したときに、前記入射光路部材と交差領域で交差するように配置された出射光路部材と、
前記入射光路部材および前記出射光路部材のうち、少なくとも一方を駆動するためのアクチュエータと
を備え、
前記アクチュエータは、前記交差領域において、前記入射光路部材と前記出射光路部材とを接触および乖離させることができるように形成された、マトリクス型光スイッチ。
【請求項２】
前記アクチュエータは、圧電、電歪、磁歪および光歪のうち、少なくとも１つの駆動原理によって、駆動されるように形成された、請求項１に記載のマトリクス型光スイッチ。
【請求項３】
入射光路部材と、
平面視したときに、前記入射光路部材と交差領域で交差するように配置された出射光路部材と、
前記交差領域において、前記入射光路部材と前記出射光路部材との間に配置され、透光性を有するアクチュエータと
を備え、
前記アクチュエータは、伸縮可能に形成され、
前記アクチュエータが伸縮することによって、前記アクチュエータと前記入射光路部材とが、接触および乖離するように形成された、マトリクス型光スイッチ。
【請求項４】
前記アクチュエータは、透光性を有する圧電体と、
前記圧電体の内部に配置され、光路を形成するための開口部を有する内部電極と
を含む、請求項３に記載のマトリクス型光スイッチ。
【発明の詳細な説明】
【技術分野】
【０００１】
本発明は、マトリクス型光スイッチに関する。
【背景技術】
【０００２】
マトリクス型光スイッチは、複数の入射光路と複数の出射光路の任意の箇所を接続するスイッチで、光路を切換えるための機構として、機械型のマトリクス型光スイッチがある（たとえば、特開平５−１１３５４３号公報参照）。
【０００３】
図９に、従来の技術に基づくマトリクス型光スイッチの概略平面図を示す。マトリクス型光スイッチ４２は、矢印３９に示すように複数の光を入射する入射光路および矢印４０に示すように複数の光を出射する出射光路を備える。それぞれの入射光路と出射光路の交差点には、光の進行方向を変更させるためのミラー２７が形成されている。ミラー２７は、機械的に駆動されるように形成されている。
【０００４】
ミラー２７は、機械的に駆動されることにより、入射光路からの光を反射させて出射光路に導くことができるように形成されている。また、ミラー２７は、機械的に駆動されることにより、入射光路から入射した光を反射させずに、そのまま通過させることができるように形成されている。ミラー２７は、たとえば、静電気力によって、駆動されるように形成されている。
【０００５】
図９において、ミラー２７のうち、入射した光を反射させるように駆動されたミラーを、ミラー２８として示している。ミラー２８に入射した光の全ては、出射光路に導かれて出射する。
【０００６】
このような、プリズムや光ファイバなどを、電磁力などの駆動方式によって機械的に駆動させ、光路を切換える機能を有するマトリクス型光スイッチが実用化されている。
【特許文献１】特開平５−１１３５４３号公報
【発明の開示】
【発明が解決しようとする課題】
【０００７】
従来の技術における光スイッチは、低損失であるという特徴があるが、スイッチング速度が遅く、多くの入射光路または多くの出射光路を備える大型のマトリクス型光スイッチには適用が困難という問題があった。たとえば、ミラーの主表面に平行な方向に、ミラーまたはプリズムを、電磁力などを用いて平行移動させるために、応答速度が遅いという問題があった。
【０００８】
また、ＭＥＭＳ（Micro Electro Mechanical System）方式と呼ばれる大規模な光スイッチが製造され、一部が実用化されている。しかし、大気中を伝播する光を制御するため、光損失が大きいという問題があった。また、駆動部分に精密さが要求され、長期間にわたって使用したときの信頼性が低いという問題があった。さらに、構造が複雑であるため、生産性が悪く、製造コストが高くなるという問題があった。
【０００９】
本発明は上記の問題点を解決するためになされたものであり、構造が簡単で、応答速度が速く、さらに、信頼性が高いマトリクス型光スイッチを提供することを目的とする。
【課題を解決するための手段】
【００１０】
上記目的を達成するため、本発明に基づくマトリクス型光スイッチは、入射光路部材と、平面視したときに、上記入射光路部材と交差領域で交差するように配置された出射光路部材と、上記入射光路部材および上記出射光路部材のうち、少なくとも一方を駆動するためのアクチュエータとを備える。上記アクチュエータは、上記交差領域において、上記入射光路部材と上記出射光路部材とを接触および乖離させることができるように形成されている。この構成を採用することにより、構造が簡単で、応答速度が速く、さらに信頼性が高いマトリクス型光スイッチを提供することができる。
【００１１】
上記発明において好ましくは、上記アクチュエータは、圧電、電歪、磁歪および光歪のうち、少なくとも１つの駆動原理によって、駆動されるように形成されている。この構成を採用することにより、上記アクチュエータを周知の技術によって形成することができる。
【００１２】
上記目的を達成するため、本発明に基づくマトリクス型光スイッチは、入射光路部材と、平面視したときに、上記入射光路部材と交差領域で交差するように配置された出射光路部材と、上記交差領域において、上記入射光路部材と上記出射光路部材との間に配置され、透光性を有するアクチュエータとを備える。上記アクチュエータは、伸縮可能に形成され、前記アクチュエータが伸縮することによって、前記アクチュエータと前記入射光路部材とが、接触および乖離するように形成されている。この構成を採用することにより、構造が簡単で、応答速度が速く、さらに信頼性が高いマトリクス型光スイッチを提供することができる。
【００１３】
上記発明において好ましくは、上記アクチュエータは、透光性を有する圧電体と、上記圧電体の内部に配置され、光路を形成するための開口部を有する内部電極とを含む。この構成を採用することにより、さらに、応答速度が速く、信頼性が高いマトリクス型光スイッチを提供することができる。
【発明の効果】
【００１４】
本発明によれば、構造が簡単で、応答速度が速く、さらに、信頼性が高いマトリクス型光スイッチを提供することができる。
【発明を実施するための最良の形態】
【００１５】
図１から図８を参照して、本発明に基づくマトリクス型光スイッチについて説明する。
【００１６】
図１は、本発明に基づく第１のマトリクス型光スイッチの平面図である。第１のマトリクス型光スイッチは、複数の入射光路部材２１を備える。入射光路部材２１は、それぞれの長手方向が、互いに平行になるように配置されている。複数の入射光路部材２１に対して、長手方向がほぼ垂直になるように、複数の出射光路部材２２が形成されている。出射光路部材２２は、それぞれの長手方向が、互いに平行になるように形成されている。入射光路部材２１と出射光路部材２２とは、平面視したときに、交差領域２４で交差するように形成されている。
【００１７】
入射光路部材２１の長手方向における端部のうち、光が入射する側の端部には、光ファイバ１０および光を拡散させるためのロッドレンズ１１が形成されている。光は、矢印３１に示すように、光ファイバ１０を伝って、マトリクス型光スイッチ２９に入射する。また、出射光路部材２２の長手方向の端部のうち、光が出射する側の端部には、光ファイバ１４および光を集光させるためのロッドレンズ１５が形成されている。光は、矢印３３に示すように光ファイバ１４を伝って、マトリクス型光スイッチ２９から出射する。
【００１８】
図２に、図１におけるＩＩ−ＩＩ線に関する矢視断面図を示す。矢印３１に示すように入射した光は、光ファイバ１０を通ってロッドレンズ１１で拡散され、入射光路部材２１に入射する。入射光路部材２１は、入路光導波板１、光導波板２およびコート１２を備える。
【００１９】
本形態における入路光導波板１は、平板状に形成されている。入路光導波板１は、石英などの透光性材料で形成されている。入路光導波板１の表面のうち、出射光路部材２２の側の表面には、光導波板２が形成されている。光導波板２は、ポリイミドなどの樹脂からなる透光性材料で形成されている。光導波板２は、圧電アクチュエータ４が、入射光路部材２１に接触する際に、密着性を向上させて漏光を防ぐために形成されている。
【００２０】
また、光導波板２は、石英などの硬い部材で形成された入路光導波板１と、固い部材で形成された圧電アクチュエータ４とが直接的に接触することを避けるように形成されている。すなわち、光導波板２を形成することによって、緩衝の効果を奏する。この光導波板２については、入射光路部材２１の表面に形成されるほか、圧電アクチュエータ４の表面のうち、入射光路部材２１に対向する面に形成されていてもよい。
【００２１】
入射光路部材２１の表面には、光を反射させるためのコート１２が形成されている。コート１２は、圧電アクチュエータ４が配置される領域を避けて形成されている。この構成を採用することによって、入射光路部材２１から、光の不要な漏洩を防止できる。
【００２２】
入射光路部材２１の上方には、圧電アクチュエータ４を介して、出射光路部材２２が形成されている。すなわち、圧電アクチュエータ４は、交差領域において、入射光路部材２１と出射光路部材２２との間に配置されている。出射光路部材２２は、出路光導波板３およびコート１３を含む。出路光導波板３は、石英などの透光性を有する透光性材料で形成されている。本形態においては、出路光導波板３は、板状に形成されている。
【００２３】
図３に、本形態における出射光路部材および圧電アクチュエータの部分の拡大断面図を示す。
【００２４】
本形態においてはアクチュエータとして、圧電アクチュエータ４が形成されている。圧電アクチュエータ４は、透光性を有する圧電体７を含む。本実施の形態においては、圧電体７は円柱状に形成されている。圧電体７としては、たとえば、透光性圧電材料であるＰＬＺＴを用いることができる。圧電体７は、厚さ方向に伸縮する。
【００２５】
圧電アクチュエータ４は、圧電体７の内部に、互いに離れるように板状に形成された内部電極６ａおよび内部電極６ｂを含む。圧電アクチュエータ４は、圧電体７の外周面に形成され、互いに電気的に独立した外部電極５ａおよび外部電極５ｂを含む。外部電極５ａは、内部電極６ａに接続されている。外部電極５ｂは、内部電極６ｂに接続されている。
【００２６】
内部電極６ａおよび内部電極６ｂは、主表面同士が互いに平行になるように形成されている。内部電極６ａおよび内部電極６ｂにおいて、圧電体７の中心軸の周りには、開口部が形成されている。この開口部によって、圧電体７の内部に光路２５が形成されている。本形態においては、内部電極６ａおよび内部電極６ｂに、同軸状に平面形状が円形の開口部が形成され、光路２５が形成されている。
【００２７】
圧電アクチュエータ４は、外部電極５ａおよび外部電極５ｂの間に、電圧を印加すると、内部電極６ａと内部電極６ｂとの間に電界が生じて、圧電体７が伸びるように形成されている。圧電アクチュエータ４は、外部電極５ａと外部電極５ｂとの間の電圧を０にすると、圧電体７は元の状態まで縮むように形成されている。
【００２８】
本形態においては、圧電アクチュエータ４が、それぞれの交差領域に配置され、個々に駆動されるように形成されている（図１参照）。また、それぞれの圧電アクチュエータは、外部に形成された電子回路によって制御されるように形成されている。図１を参照して、本形態のマトリクス型光スイッチは、交差領域２４のうち、任意の交差領域２４で、アクチュエータを駆動することができる。
【００２９】
図３を参照して、出射光路部材２２の表面には、光を反射させるためのコート１３が形成されている。コート１３は、出路光導波板３の周りを取り囲むように形成されている。また、圧電体７の側面において、外部電極５ａ，５ｂが形成されている部分以外の部分にも、光を反射させるためのコート１３が形成されている。この構成を採用することによって、出射光路部材２２および圧電アクチュエータ４から、光の不要な漏洩を防止することができる。入射光路部材２１に形成されたコート１２および出射光路部材２２に形成されたコート１３としては、金属膜や誘電体膜を用いることができる。
【００３０】
図４に、圧電アクチュエータを駆動する際の説明図を示す。図４（ａ）は、外部電極に電圧を印加して、圧電アクチュエータ４を動作状態にしたときの断面図である。圧電アクチュエータ４は、厚さ方向に伸びた状態であり、入射光路部材２１の光導波板２に接触している。
【００３１】
矢印３１に示すように入射した光は、光ファイバ１０を通って、ロッドレンズ１１で拡散され、入路光導波板１に入射する。入射した光のうち、一部の光は、矢印３４に示すように、入射光路部材２１の内部での反射を繰り返して、圧電アクチュエータ４と、光導波板２とが接触している領域に到達する。この際に、光導波板２と、圧電アクチュエータ４との屈折率の差によって、矢印３４に示すように、光は、圧電アクチュエータ４の内部に入射する。
【００３２】
光導波板２の屈折率は、たとえば、光導波板２がポリイミド樹脂で形成されている場合には、約１．５であるのに対して、圧電アクチュエータ４の圧電体７の屈折率は、たとえば、圧電体７がＰＬＺＴで形成されている場合には、約２．５である。このように、光導波板２の屈折率よりも、圧電アクチュエータ４の屈折率の方が大きいため、圧電アクチュエータ４と光導波板２とが接触する領域に入射した光は、屈折して圧電アクチュエータ４の内部に入射する。
【００３３】
光が圧電アクチュエータ４の内部に入射すると、圧電アクチュエータ４が透光性を有する材料で形成されているため、光を出射光路部材２２の出路光導波板３に導くことができる。このように、入射光路部材２１を通る光の一部を出射光路部材２２に導くことができる。
【００３４】
図４（ｂ）は、外部電極に電圧を印加せず、圧電アクチュエータを停止状態にしたときの断面図である。圧電アクチュエータ４は、厚さ方向に縮んで、光導波板２から離れる。
【００３５】
入路光導波板１に入射した光のうち、一部の光は、矢印３５に示すように、入射光路部材２１の内部での反射を繰り返して、圧電アクチュエータ４が対向する光導波板２の表面の領域に到達する。この際に、矢印３５に示すように、入路光導波板１に入射した光は、光導波板２の表面で全反射して、入射光路部材２１の内部を進行する。光導波板２の屈折率は、空気の屈折率より十分に大きい。たとえば、光導波板２の材質がポリイミド樹脂である場合の屈折率は、約１．５である。これに対して、空気の屈折率は約１．０である。
【００３６】
このため、光導波板２と空気との境界面では、入射角度に応じて全反射が生じて、光が圧電アクチュエータ４を介して、出射光路部材２２に導かれることはない。通常、光ファイバの内部においては、光は、光ファイバの内部で光が全反射するように進行している。したがって、光導波板の表面のうち、コートが形成されていない部分においても、空気中に漏れることなく全反射する。
【００３７】
このように、圧電アクチュエータを駆動させ、圧電アクチュエータの端面を、入射光路部材に接触させることによって、入射光路部材を通る光の一部を、出射光路部材の内部に導くことができる。
【００３８】
図５に、本形態におけるマトリクス型光スイッチの模式図を示す。本形態におけるマトリクス型光スイッチ２９においては、矢印３６ａに示すように、一の入射光路部材に波長λ1の光が入射する。また、同様に、矢印３６ｂ〜３６ｄに示すように、その他の入射光路部材に、波長λ2〜λ4の光が入射する。
【００３９】
それぞれの入射光路部材と出射光路部材との交差領域のうち、交差領域４５は、圧電アクチュエータと入射光路部材とが接触している領域である。交差領域４５においては、入射光のうち、一部が出射光路部材に導かれ、矢印３７ａ〜３７ｄに示すように、出射光路部材から出射される。たとえば、矢印３７ａに対応する出射光路部材においては、波長λ1の光のみが出射され、矢印３７ｄに示す出射光路部材からは、波長λ2の光、波長λ3の光および波長λ4の光が出射される。
【００４０】
このように、本形態におけるマトリクス型光スイッチにおいては、光が出射する位置を選択できるとともに、複数の光を含んだ光を出射させることができる。すなわち、本発明に基づくマトリクス型光スイッチは、光合波器としての機能を備える。
【００４１】
本形態におけるマトリクス型光スイッチのアクチュエータは、入射光路部材と出射光路部材との間に配置され、透光性を有し、伸縮可能に形成されている。この構成を採用することにより、従来の技術に基づくマトリクス型光スイッチのように、精密な駆動機構は不要になり、マトリクス型光スイッチの構造を簡単にすることができる。また、構造が簡単になることにより故障を少なくでき、さらに、従来の技術に基づくマトリクス型光スイッチのように、精密なアクチュエータの制御が不要であることから、信頼性を向上させることができる。
【００４２】
さらに、駆動する部分の変位量を小さくでき、応答速度を速くすることができる。さらに、本形態におけるマトリクス型光スイッチにおいては、入射光路部材の任意の位置にアクチュエータを形成して、出射光路部材を配置することができる。すなわち、入射光路部材と出射光路部材との配置の自由度を大きくすることができる。
【００４３】
さらに、本形態におけるマトリクス型光スイッチは、構造が簡単であるため、容易に多チャンネル化を行なうことが可能である。本形態における第１のマトリクス型光スイッチおよび第２のマトリクス型光スイッチにおいては、入射光路部材および出射光路部材が、それぞれ４本ずつ形成されているが、特にこの形態に限られず、入射光路部材を任意の本数にして、さらに、出射光路部材を任意の本数にすることができる。たとえば、本発明に基づくマトリクス型光スイッチにおいては、入射光路部材を１００本並列に形成して、出射光路部材を１００本並列に形成した、入力が１００チャンネル、出力が１００チャンネルの大型のマトリクス型光スイッチも容易に製造することができる。
【００４４】
さらに、従来の技術に基づくマトリクス型光スイッチにおいては、複数の入射光を、特定の出射光路部材から取出す機能しか有しておらず、光の光路を変更するためのミラーやプリズムが光路の一部分に挿入されると、ミラーまたはプリズムにおいて、入射光路部材における光の進行が遮断されていた。これに対して、本発明に基づくマトリクス型光スイッチにおいては、入射光路部材に入射した光のうち、一部のみを出射光路部材に導くことができるため、１つの入射した光に対して、複数の出射光路部材から該入射した光を取出すことができる。
【００４５】
さらに、本発明に基づくマトリクス型光スイッチにおいては、出射光路部材に、複数の入射光路部材の光を導くことができるため、出射光路部材において、複数の光を合波させることができる。
【００４６】
本形態におけるアクチュエータは、圧電による駆動原理で、駆動されるように形成されている。この構成を採用することにより、アクチュエータを小型化することができ、また、アクチュエータの構造が簡単になり、容易にアクチュエータを形成することができる。また、安価に製造することができる。さらに、アクチュエータの応答速度を速くすることができ、駆動原理が圧電によるため、消費電力を小さくすることができる。
【００４７】
また、本形態におけるアクチュエータは、入射光路部材と出射光路部材との交差領域において、入射光路部材と出射光路部材との間に配置され、透光性を有する圧電体と、透光性を有する圧電体の内部に配置され、光路を形成するための開口部を有する内部電極とを含む。この構成を採用することにより、上記の圧電アクチュエータを形成することができる。
【００４８】
本形態においては入射光路部材に形成された光導波板は、入路光導波板よりも屈折率が高いことが好ましい。この構成を採用することにより、圧電アクチュエータが光導波板に接触したときに、より確実に、光を出射光路部材に導くことができる。光導波板が出射光路部材に形成されている場合についても同様である。
【００４９】
図６に、第２のマトリクス型光スイッチの平面図を示す。第２のマトリクス型光スイッチ３０においては、入射光路部材２１の出口にも、光を取出すためのロッドレンズ１７および光ファイバ１６が接続されている。すなわち、第２のマトリクス型光スイッチ３０においては、矢印３２に示すように、出射光路部材２２から光が出力されるほか、矢印４１に示すように、入射光路部材２１に入力した光の一部または全部が、出力されるように形成されている。
【００５０】
図７に、マトリクス型光スイッチ３０の機能を示す模式図を示す。交差領域４５は、それぞれの入射光路部材と出射光路部材との交差領域のうち、圧電アクチュエータが、両方の光路部材に接触している領域である。それぞれの波長λ1〜λ5を有する複数の光が入射光路部材に入射して、それぞれの光に対して、交差領域４５で出射光路部材に光が導かれることは、第１のマトリクス型光スイッチと同様である（図５参照）。
【００５１】
第２のマトリクス型光スイッチにおいては、入射した光の一部が任意の出射光路部材に導かれるほかに、矢印３８ａ〜３８ｄに示すように、それぞれの入射した光の一部が出力される。すなわち、入射した光を出力するいわゆる「スルー出力」を行なうことができるように形成されている。
【００５２】
このように、本発明に基づくマトリクス型光スイッチにおいて、入射光路部材の端部が閉止されている必要はない。すなわち、入射光路部材の任意の点に、アクチュエータを形成して、出射光路部材に光を導くことができる。
【００５３】
図８に、本発明に基づく第３のマトリクス型光スイッチの説明図を示す。第３のマトリクス型光スイッチにおいては、交差領域における構成が上記のマトリクス型光スイッチと異なる。
【００５４】
第３のマトリクス型光スイッチにおいては、アクチュエータ８ａ，８ｂが、交差領域において、出射光路部材２３ａ，２３ｂの上部に配置され、アクチュエータ８ａ，８ｂが駆動されることによって、入射光路部材２１と出射光路部材２３ａ，２３ｂとが直接的に、接触および乖離するように形成されている。図８においては、出射光路部材２３ａが入射光路部材２１から離れ、出射光路部材２３ｂが入射光路部材２１と接触している。
【００５５】
アクチュエータ８ａ，８ｂは、圧電、電歪、磁歪および光歪のうち、少なくとも１つの駆動原理によって駆動されるように形成されている。
【００５６】
入射光路部材２１の表面には、入射光路部材２１と出射光路部材２３ａ，２３ｂとが対向する交差領域以外に、光を反射させるためのコート１２が形成されている。また、出射光路部材２３ａ，２３ｂの表面にも、光を反射させるためのコート１９が形成されている。
【００５７】
第３のマトリクス型光スイッチにおいては、出射光路部材２３ａ，２３ｂが、柔軟性を有する材料で形成されている。出射光部材２３ａ，２３ｂは、たとえば、ポリイミド樹脂で形成されている。
【００５８】
図８に示すように、第３のマトリクス型光スイッチにおいて、入射光路部材２１と出射光路部材２２とが接している部分においては、矢印３４に示すように、入射光路部材２１から出射光路部材２３ａ，２３ｂに光の一部が導かれる。これに対して、入射光路部材２１と出射光路部材２３ａ，２３ｂとが離れている部分においては、矢印３５に示すように、入射した光は、光導波板２の外周面で反射して、入射光路部材２１の内部を進行する。
【００５９】
このように、入射光路部材と出射光路部材とを、直接的に対向させ、入射光路部材と出射光路部材とを直接的に接触または乖離させるように形成されることによっても、前述の第１のマトリクス型光スイッチおよび第２のマトリクス型光スイッチと同様の作用および効果を得ることができる。
【００６０】
本形態における第３のマトリクス型光スイッチにおいては、出射光路部材を入射光路部材に対して直接的に押付けているが、特にこの形態に限られず、入射光路部材を出射光路部材に対して押付けるように形成されていてもよい。または、入射光路部材および出射光路部材の両方に、アクチュエータが形成され、両方の光路部材が駆動されるように形成されていてもよい。
【００６１】
また、第３のマトリクス型光スイッチにおいては、出射光路部材２３ａ，２３ｂが、柔軟性を有する材料で形成されている。第３のマトリクス型スイッチは、出射光路部材が直接的に押圧されるために、出射光路部材が湾曲する。出射光路部材が、石英のような硬い部材で形成されていると、接触している交差領域に隣接する交差領域においても、出射光路部材と入射光路部材とが接触する可能性がある。特に、２以上の接触状態にある交差領域に挟まれた乖離状態の交差領域においては、出射光路部材と入射光路部材とが接触する可能性が高くなる。
【００６２】
交差領域のうち乖離されるべき部分が接触することを避けるために、出射光路部材と入射光路部材とが直接的に駆動されるマトリクス型光スイッチにおいては、第３のマトリクス型光スイッチのように、駆動される側の光路部材が柔軟性を有することが好ましい。
【００６３】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００６４】
【図１】本発明に基づく第１のマトリクス型光スイッチの平面図である。
【図２】本発明に基づく第１のマトリクス型光スイッチの断面図である。
【図３】本発明に基づく第１のマトリクス型光スイッチにおける圧電アクチュエータおよび出射光路部材の断面図である。
【図４】（ａ）および（ｂ）は、本発明に基づく第１のマトリクス型光スイッチの機能を説明する概略断面図である。
【図５】本発明に基づく第１のマトリクス型光スイッチの機能を説明する模式図である。
【図６】本発明に基づく第２のマトリクス型光スイッチの平面図である。
【図７】本発明に基づく第２のマトリクス型光スイッチの機能を説明する模式図である。
【図８】本発明に基づく第３のマトリクス型光スイッチの断面図である。
【図９】従来の技術に基づくマトリクス型光スイッチの機能を説明する模式図である。
【符号の説明】
【００６５】
１  入路光導波板、２  光導波板、３  出路光導波板、４  圧電アクチュエータ、５ａ，５ｂ  外部電極、６ａ，６ｂ  内部電極、７  圧電体、８ａ，８ｂ  アクチュエータ、１０，１４，１６  光ファイバ、１１，１５，１７  ロッドレンズ、１２，１３，１９  コート、２７，２８  ミラー、２１  入射光路部材、２２，２３ａ，２３ｂ  出射光路部材、２４，４５  交差領域、２５  光路、２９，３０，４２  マトリクス型光スイッチ、３１〜３５，３６ａ〜３６ｄ，３７ａ〜３７ｄ，３８ａ〜３８ｄ，３９〜４１  矢印。
【図１】
2005315955.tif 000003
【図２】
2005315955.tif 000004
【図３】
2005315955.tif 000005
【図４】
2005315955.tif 000006
【図５】
2005315955.tif 000007
【図６】
2005315955.tif 000008
【図７】
2005315955.tif 000009
【図８】
2005315955.tif 000010
【図９】
2005315955.tif 000011